(57)【要約】【課題】形状、寸法の異なる種々の軒樋に対応でき、かつ軒樋の幅寸法に応じて簡単な操作で調節できる軒樋吊り具を提供する。【解決手段】軒樋吊り具１は、前耳係止体２０、後耳係止体１０および回転式固定板３０の３部材は、回転式固定板３０が外面側に配された状態で、重合して軸結合されており、回転式固定板３０をロック位置に回転したときには、３部材が圧接状態に固定される一方、回転式固定板３０をロック解除位置に回転したときには、３部材の圧接状態が解除されるようになっている。【選択図】図１
2015025320.tif 000002
【特許請求の範囲】
【請求項１】
軒樋の前耳を係止する前耳係止体と、軒樋の後耳を係止する後耳係止体と、建築構造物へ固定するための固定部と、前記前耳係止体と前記後耳係止体とを相互に固定する回転式固定板とを備えた軒樋吊り具であって、
前記前耳係止体、前記後耳係止体および前記回転式固定板の３部材は、前記回転式固定板が外面側に配された状態で、重合して軸結合されており、
前記回転式固定板をロック位置に回転したときには、前記３部材が圧接状態に固定される一方、前記回転式固定板をロック解除位置に回転したときには、前記３部材の圧接状態が解除されることを特徴とする軒樋吊り具。
【請求項２】
請求項１において、
前記前耳係止体の前部には、軒樋の前耳を引っ掛ける上向き突片が形成されており、
前記前耳係止体を挟むように、上方に前記回転式固定板が配され、下方に前記後耳係止体が配されており、
前記回転式固定板がロック位置にあるとき、該回転式固定板の前端が、前記前耳係止体の上向き突片に引っ掛けた前記軒樋の前耳の後面に接触または近接した状態となることを特徴とする軒樋吊り具。
【請求項３】
請求項２において、
前記回転式固定板は、断面Ｕ字形状に形成されていることを特徴とする軒樋吊り具。
【発明の詳細な説明】
【技術分野】
【０００１】
本発明は、軒樋を吊り支持する軒樋吊り具に関する。
【背景技術】
【０００２】
従来の軒樋吊り具は、軒樋の前耳を係止する前耳係止部と、軒樋の後耳を係止する後耳係止部とを一体に備え、それらの相対的な位置関係が定まった構成となっている（たとえば、特許文献１参照）。つまり、形状、寸法の異なる種々の軒樋に対応して個別の軒樋吊り具が用いられることが通例となっている。
【先行技術文献】
【特許文献】
【０００３】
【特許文献１】特開２００９−１０８４７１号公報
【発明の概要】
【発明が解決しようとする課題】
【０００４】
しかしながら、軒樋には耳を含む全体の形状、寸法の種々異なる数多くの種類があり、それら数多くの種類の軒樋に対応して軒樋吊り具を生産することは、生産ラインの増大化につながるため、生産面やコスト面において決して効率的とはいえない。
【０００５】
本発明者は、このような問題を解決すべく前耳係止部と後耳係止部とを分離自在とした軒樋吊り具を種々試行しているが、さらに、軒樋の幅寸法に合わせて前耳係止部と後耳係止部との組み合わせ寸法を現場で簡単な操作で調節できる軒樋吊り具の開発を進めている。
【０００６】
本発明は、このような事情を考慮して提案されたもので、その目的は、形状、寸法の異なる種々の軒樋に対応でき、かつ軒樋の幅寸法に応じて簡単な操作で調節できる軒樋吊り具を提供することにある。
【課題を解決するための手段】
【０００７】
上記目的を達成するために、請求項１に記載の軒樋吊り具は、軒樋の前耳を係止する前耳係止体と、軒樋の後耳を係止する後耳係止体と、建築構造物へ固定するための固定部と、前耳係止体と後耳係止体とを相互に固定する回転式固定板とを備えた軒樋吊り具であって、前耳係止体、後耳係止体および回転式固定板の３部材は、回転式固定板が外面側に配された状態で、重合して軸結合されており、回転式固定板をロック位置に回転したときには、３部材が圧接状態に固定される一方、回転式固定板をロック解除位置に回転したときには、３部材の圧接状態が解除されることを特徴とする。
【０００８】
請求項２に記載の軒樋吊り具は、前耳係止体の前部には、軒樋の前耳を引っ掛ける上向き突片が形成されており、前耳係止体を挟むように、上方に回転式固定板が配され、下方に後耳係止体が配されており、回転式固定板がロック位置にあるとき、該回転式固定板の前端が、前耳係止体の上向き突片に引っ掛けた軒樋の前耳の後面に接触または近接した状態となることを特徴とする。
請求項３に記載の軒樋吊り具は、回転式固定板が断面Ｕ字形状に形成されていることを特徴とする。
【発明の効果】
【０００９】
請求項１に記載の軒樋吊り具によれば、上述の構成となっているため、前耳係止体と後耳係止体との組み合わせにより、種々の形状、寸法の軒樋に対応することができる。
【００１０】
また、回転式固定板を前耳係止体と後耳係止体とに軸結合して、ロック位置／ロック解除位置に回転操作することで、圧接による両係止体の固定、圧接固定の解除ができるようになっているので、軒樋の幅寸法に応じた適切な位置で両係止体を簡単な操作で固定することができる。
【００１１】
請求項２に記載の軒樋吊り具によれば、上述の構成となっているため、回転式固定板がロック位置にあるときは、回転式固定板の前端で軒樋の前耳のずれや外れを防止することができる。
【００１２】
請求項３に記載の軒樋吊り具によれば、回転式固定板が断面Ｕ字形状に形成されているので、回転操作がしやすい。また、回転式固定板のＵ字形状の端面が軒樋の前耳の外面に近接または接触する構成であるため、前耳を動かないようしっかりと保持することができる。
【図面の簡単な説明】
【００１３】
【図１】本発明の一実施形態に係る軒樋吊り具の分解斜視図である。
【図２】図１の軒樋吊り具の取付状態を示した縦断面図である。
【図３】回転式固定板の説明図であり、（ａ）は底面図、（ｂ）は正面図、（ｃ）は側面図である。
【図４】前耳係止体に対する回転式固定板の平面図であり、（ａ）はロック位置、（ｂ）はロック解除位置を示す図である。
【発明を実施するための形態】
【００１４】
以下に、本発明の実施の形態について、添付図面を参照して説明する。
【００１５】
図１は、本発明の一実施形態に係る軒樋吊り具の分解斜視図である。図２は、図１に示した軒樋吊り具１の取付状態を示した縦断面図である。
【００１６】
本軒樋吊り具１に支持される軒樋２には、吊り支持されるための被係止部として、軒先側（後方）の後方壁２ａの上端に後耳２ｂが設けられ、前方壁２ｃの上端に前耳２ｄが設けられている（図２参照）。
【００１７】
軒樋吊り具１は、図１および図２に示すように、軒先の壁３などの建築構造物に固定されて、軒樋２を吊り支持するものであり、軒樋２の後耳２ｂを係止する後耳係止体１０と、前耳２ｄを係止する前耳係止体２０と、それらを固定するための回転式固定板３０とを軸結合して、一体化してなるものである。
【００１８】
後耳係止体１０は、後耳係止部１１と、その前方に配された、前耳係止体２０と連結される板状部１３と、後耳係止部１１の後方に配された、後耳係止体１０を軒先の壁などに固定するための固定部１４とを備えている。
【００１９】
後耳係止部１１は、上方に突出形成されており、その裏側の凹所１１ｄには軒樋２の後耳２ｂを係止する係止片１２が取り付けられている。後耳係止部１１は、断面視で凹所１１ｄをはさんでハ字形に下方に開口した形状とされており、板状部１３とほぼ平行な頂面部１１ａと、その頂面部１１ａの前後端より下方に延びた前側壁部１１ｂ、後側壁部１１ｃとを有した形状となっている。この頂面部１１ａの裏側に係止片１２がリベット１６で固定されている。なお、係止片１２については後述する。
【００２０】
後耳係止部１１の前方には、幅方向の両端部に垂下リブ片１３ｂを有した平板状の板状部１３が配され、板状部１３には、前耳係止体２０と結合するための上下に通じる長手方向に沿った長孔１３ａが形成されている。
【００２１】
また、後耳係止部１１の後方には、後耳係止部１１の後側壁部１１ｃの下端より下方に延びるように固定部１４が配されている。固定部１４は、壁３にねじ固定するための複数の固定孔１４ａが形成された横長の長方形状の板体よりなる。固定部１４としては、後耳係止部１１より下方に延びた取付片に別体の座板をリベットなどで固着した構成としてもよい。
【００２２】
また、この後耳係止体１０には、板状部１３の後端部から後耳係止部１１の頂面部１１ａの前端部まで１条の補強用のリブ１５が形成され、後耳係止部１１の後端部から固定部１４の高さ方向の中央よりやや下方まで２条の補強用のリブ１５が形成されている。
【００２３】
係止片１２は、ばね性を有した金属薄板を折曲加工してなり、軒樋２の後耳２ｂを係止する係止部１２ｂと、軒樋２の後耳２ｂを後方に向けて押圧するようにして後耳２ｂの外れを防止する押さえ片部１２ｃと、上端部に山形状に配されて頂面部１１ａに固着される固着部１２ａとを一体に備えている。これらに囲まれた内方空間が、軒樋の後耳を収容する後耳収容空間１２ｄを構成する。
【００２４】
固着部１２ａは、断面視でハ字形に下方に開いており、凹所１１ｄに嵌合できる、中央にリベット挿通用の挿通孔を有した頂部１２ａａと、前、後傾斜部１２ａｂ、１２ａｃとを有している。
【００２５】
また、係止部１２ｂは、固着部１２ａの後傾斜部１２ａｃの下端より下方に延びた垂下部１２ｂａと、その垂下部１２ｂａの下端から前方に向けて折曲延設された耳掛部１２ｂｂと、耳掛部１２ｂｂの前端より下方に折曲延設された垂片部１２ｂｃとを備えている。この垂片部１２ｂｃの下端部には後方に傾斜した、後耳の挿入ガイド用のガイド部１２ｂｃａが形成されている。
【００２６】
押さえ片部１２ｃは、固着部１２ａの前傾斜部１２ａｂの下端より下方に延びた垂下部１２ｃａと、その垂下部１２ｃａの下端より後方に向けて折曲延設された押圧部１２ｃｂとを備えている。この押圧部１２ｃｂの先端中央には半円状の切欠き部１２ｃｂａが形成されている。なお、この切欠き部１２ｃｂａは、係止片１２を頂面部１１ａに固着させる際のリベット１６止めするための操作用の凹部である。
【００２７】
耳掛部１２ｂｂと押圧部１２ｃｂの高さ位置はほぼ同じであり、それらの間には、後耳２ｂが抜け落ちない程度の挿入間隙が形成されている。
【００２８】
この係止片１２には、固着部１２ａの頂部１２ａａの後端部から後傾斜部１２ａｃ、垂下部１２ｂａ、耳掛部１２ｂｂを経由して、垂片部１２ｂｃにいたるまで２条の補強用のリブ１２ｆ、１２ｆが形成されている。
【００２９】
一方、前耳係止体２０は、前耳係止部２１と、その後方に形成された、後耳係止体１０と連結される板状部２２とを備えている。
【００３０】
板状部２２は、後耳係止体１０の板状部１３と同様に平板状とされ、その幅方向の両端に垂下リブ片２２ｂを有している。板状部２２には、後耳係止体１０と結合するための丸孔２２ａが開設されている。この板状部２２は、幅方向の内寸法（垂下リブ片２２ｂ間の空間寸法）が後耳係止体１０の板状部１３の幅方向の外寸法とほぼ同じかやや大とされ、後耳係止体１０の板状部１３に被せられるようになっている。つまり、板状部１３の２つの垂下リブ片２２ｂは回り止め片を構成する。
【００３１】
前耳係止部２１は、板状部２２の前端よりさらに前方に延びるように板状部２２と一体に形成されており、その先端にはほぼ真上に向けて突出した上向き突片２１ａが形成されている。
【００３２】
回転式固定板３０は、前耳係止体２０と後耳係止体１０とを圧接状態に固定し得る固定板である。この回転式固定板３０は、図３（ａ）〜（ｃ）に示すように、底板部３１と、底板部３１の幅方向の両端より起立した起立部３２、３２とよりなる断面Ｕ字形状とされた折曲板体よりなる。底板部３１のほぼ中央には丸孔３１ａが開設され、底板部３１の外面の長手方向の両端側には各２つの突部３３、３３が形成されている。図３（ｂ）に示すように、長手方向の突部３３、３３間の内寸法は、前耳係止体２０の板状部２１の幅寸法よりやや大とされる。
【００３３】
以上に説明した３部材は、図１に示すように、下から、後耳係止体１０、前耳係止体２０、回転式固定板３０の順に重ねられ、長孔１３ａ、丸孔２２ａ、丸孔３１ａによる重合孔にリベット４を通して軸結合されている。
【００３４】
また、後耳係止体１０には長孔１３ａが形成されているので、前耳係止体２０と後耳係止体１０とは、回転式固定板３０を後述するようにロック解除位置に回転させておけば、軒樋吊り具１を両係止体が白抜き矢印の方向に相互にスライド自在な状態にすることができる。よって、軒樋２の幅寸法に応じて、現場で簡単に前耳係止部２１、後耳係止部１１間の距離を調節することができる。
【００３５】
このように３部材を連結し、回転式固定板３０で両係止体を圧接状態に固定することで特定の軒樋２に対応した軒樋吊り具１を形成できる。この軒樋吊り具１には、図２に示すように、軒樋２の前耳２ｄが前耳係止部２１の上向き突片２１ａに掛止され、後耳２ｂが係止片１２の係止部１２ｂに掛止されて、軒樋２は吊り支持される。また、軒樋２の前耳２ｄの下部には後方への凹み段部２ｅがあり、前耳２ｄが上向き突片２１ａに係止されることで、軒樋２の前部で上向き突片２１ａを上下より挟み込む形となって、下方からの押圧によっても外れにくくできる。
【００３６】
以上のように、本軒樋吊り具１は、リベット４で３部材を結合した構成であるため、前耳係止体２０と後耳係止体１０との組み合わせを種々変えれば、種々の形状、寸法の軒樋２に対応させることができる。
【００３７】
ついで、回転式固定板３０によるロック／ロック解除について、図４をさらに参照しながら説明する。
【００３８】
回転式固定板３０は、図１、図２および図４（ａ）に示すように、長手方向を前後方向に向けた状態で前耳係止体２０の上に配すれば、前耳係止体２０の板状部２２の板面に対し圧接した状態（ロック位置）となる。
【００３９】
つまり、このロック位置では、回転式固定板３０の底板部３１の外面に設けた突部３３、３３が、その底板部３１と、前耳係止体２０の板状部２２との間に圧接状態に配されて、回転式固定板３０と前耳係止体２０と後耳係止体１０とは相互に固定された状態となる。
【００４０】
また、回転式固定板３０を軸を中心として横方向に約９０度回転させると、突部３３、３３が前耳係止体２０の板状部２２の上面より外れて圧接状態が解除される。この状態の位置がロック解除位置である。
【００４１】
ロック解除位置では、回転式固定板３０と前耳係止体２０とが、後耳係止体１０に対しスライド自在な状態となる。
【００４２】
なお、ロック解除位置でスライド自在となる一方、ロック位置で固定状態となるように、軸長（リベット４の頭部間の寸法）を調節して、３部材を軸結合しておけばよい。
【００４３】
また、ロック位置でずれ、外れが生じないように、前耳係止体２０の板状部２２の上面に突部３３を受け入れる凹部を形成してもよい。なお、突部３３、３３は、回転式固定板３０、前耳係止体２０とを圧接状態とするものであればよく、前耳係止体２０に板状部２２の上面に設けるようにしてもよい。
【００４４】
回転式固定板３０をロック位置に回転して、前耳係止体２０と後耳係止体１０を固定した状態にしたときには、図２に示すように、回転式固定板３０の前端は前耳係止体２０の上向き突片２１ａに掛止された軒樋２の前耳２ｄの後方の外面に近接した状態となる。
【００４５】
このように、軒樋２の前耳２ｄが、前耳係止体２０の上向き突片２１ａと、回転式固定板３０の前端との間に挟まれるので、軒樋２の前耳２ｄの外れを防止することができる。なお、回転式固定板３０は回転させる構造であるため、前端を前耳２ｄに接触させることは構造上困難であるが、前耳係止体２０の上向き突片２１ａを軒樋２の前耳２ｄの下向き凹部に対し遊嵌状態に掛止するような構造とすれば、回転式固定板３０の前端を前耳２ｄに接触させて前耳２ｄを外面より押圧して上向き突片２１ａとの間に挟持することもできる。
【００４６】
また、回転式固定板３０の前端はＵ字形状であるため、前耳２ｄに対し高さ方向にも大きく近接または接触させることができる。また、Ｕ字形状であるため、両起立部３２、３２を手指で掴みやすく、操作がしやすい。
【００４７】
以上の実施形態では、回転式固定板３０を前耳係止体２０の上面側に配した構造としたが、前耳係止体２０と後耳係止体１０の配設位置を入れ替えて上面側の後耳係止体１０に対し、回転式固定板３０で圧接固定する構造としてもよい。また、回転式固定板３０を前耳係止体または後耳係止体の下面側に配するようにしてもよい。
【符号の説明】
【００４８】
１          軒樋吊り具
２          軒樋
２ｂ        後耳
２ｄ        前耳
３          壁（建築構造物）
１０        後耳係止体
１１        後耳係止部
１２        係止片
１３        板状部
１３ａ      長孔
１４        固定部
２０        前耳係止体
２１        前耳係止部
２１ａ      上向き突片
２２        板状部
２２ａ      丸孔
３０        回転式固定板
３１        底板部
３１ａ      丸孔
３２        起立部
３３        突部
【図１】
2015025320.tif 000003
【図２】
2015025320.tif 000004
【図３】
2015025320.tif 000005
【図４】
2015025320.tif 000006
【手続補正書】
【提出日】平成26年9月22日(2014.9.22)
【手続補正１】
【補正対象書類名】特許請求の範囲
【補正対象項目名】全文
【補正方法】変更
【補正の内容】
【特許請求の範囲】
【請求項１】
軒樋の前耳を係止する前耳係止体と、軒樋の後耳を係止する後耳係止体と、建築構造物へ固定するための固定部と、前記前耳係止体と前記後耳係止体とを相互に固定する回転式固定板とを備えた軒樋吊り具であって、
前記前耳係止体、前記後耳係止体および前記回転式固定板の３部材は、前記回転式固定板が外面側に配された状態で、重合して軸結合されており、
前記前耳係止体の前部には、軒樋の前耳を引っ掛ける上向き突片が形成されており、
前記前耳係止体を挟むように、上方に前記回転式固定板が配され、下方に前記後耳係止体が配されており、
前記回転式固定板をロック位置に回転したときには、前記３部材が圧接状態に固定される一方、前記回転式固定板をロック解除位置に回転したときには、前記３部材の圧接状態が解除されるようになっており、
前記回転式固定板をロック位置に回転したときに、該回転式固定板の前端が、前記前耳係止体の上向き突片に引っ掛けた前記軒樋の前耳の後面に接触または近接した状態となり、前記軒樋の前耳が前記前耳係止体の上向き突片と、前記回転式固定板の前端との間に挟まれるようになっていることを特徴とする軒樋吊り具。
【請求項２】
請求項１において、
前記回転式固定板は、断面Ｕ字形状に形成されていることを特徴とする軒樋吊り具。
【手続補正２】
【補正対象書類名】明細書
【補正対象項目名】０００７
【補正方法】変更
【補正の内容】
【０００７】
上記目的を達成するために、請求項１に記載の軒樋吊り具は、軒樋の前耳を係止する前耳係止体と、軒樋の後耳を係止する後耳係止体と、建築構造物へ固定するための固定部と、前耳係止体と後耳係止体とを相互に固定する回転式固定板とを備えた軒樋吊り具であって、前耳係止体、後耳係止体および回転式固定板の３部材は、回転式固定板が外面側に配された状態で、重合して軸結合されており、前耳係止体の前部には、軒樋の前耳を引っ掛ける上向き突片が形成されており、前耳係止体を挟むように、上方に回転式固定板が配され、下方に後耳係止体が配されており、回転式固定板をロック位置に回転したときには、３部材が圧接状態に固定される一方、回転式固定板をロック解除位置に回転したときには、３部材の圧接状態が解除されるようになっており、回転式固定板をロック位置に回転したときに、回転式固定板の前端が、前耳係止体の上向き突片に引っ掛けた軒樋の前耳の後面に接触または近接した状態となり、軒樋の前耳が前耳係止体の上向き突片と、回転式固定板の前端との間に挟まれるようになっていることを特徴とする。
【手続補正３】
【補正対象書類名】明細書
【補正対象項目名】０００８
【補正方法】変更
【補正の内容】
【０００８】
請求項２に記載の軒樋吊り具は、回転式固定板が断面Ｕ字形状に形成されていることを特徴とする。
【手続補正４】
【補正対象書類名】明細書
【補正対象項目名】００１１
【補正方法】変更
【補正の内容】
【００１１】
さらに、請求項１に記載の軒樋吊り具によれば、上述の構成となっているため、回転式固定板がロック位置にあるときは、回転式固定板の前端で軒樋の前耳のずれや外れを防止することができる。
【手続補正５】
【補正対象書類名】明細書
【補正対象項目名】００１２
【補正方法】変更
【補正の内容】
【００１２】
請求項２に記載の軒樋吊り具によれば、回転式固定板が断面Ｕ字形状に形成されているので、回転操作がしやすい。また、回転式固定板のＵ字形状の端面が軒樋の前耳の外面に近接または接触する構成であるため、前耳を動かないようしっかりと保持することができる。